(57)【要約】【課題】ドロアの入出金に係るミスを防止し、かつ入出金の処理時間を短縮する。【解決手段】電子キャッシュレジスタに接続されるドロア２ａは、金銭の収納領域が複数の区画に仕切られている。電子キャッシュレジスタは、ドロア２ａの所定の開放タイミングに対応させて、これら複数の区画のレイアウト情報をドロア内イメージ４ａとして表示させるとともに複数の区画のそれぞれに収納されている金銭の種別情報を表示させるＣＰＵを備える。これにより店員は、各金銭種別の貨幣をどれだけの数だけ引き渡せばよいか容易に判別可能である。【選択図】図３
2019128777.tif 000002
【特許請求の範囲】
【請求項１】
金銭の収納領域が複数の区画に仕切られているドロアに接続された金銭登録機であって、
前記ドロアの所定の開放タイミングに対応させて、前記複数の区画のレイアウト情報をドロア内イメージとして表示させるとともに前記複数の区画のそれぞれに収納されている金銭の種別情報を表示させる表示制御部と、
を備えることを特徴とする金銭登録機。
【請求項２】
前記表示制御部は、当該開放タイミングに対応させて取り出されるべき金銭の枚数を前記ドロア内イメージにおける当該金銭の種別に割り当てられている区画に対応付けて表示させる、
ことを特徴とする請求項１に記載の金銭登録機。
【請求項３】
前記表示制御部は、当該開放タイミングに対応させて収納されるべき金銭の枚数を前記ドロア内イメージにおける当該金銭の種別に割り当てられている区画に対応付けて表示させる、
ことを特徴とする請求項１に記載の金銭登録機。
【請求項４】
前記表示制御部は、取り出されるべき金銭の収納枚数が不足しているか否かによって、前記ドロア内イメージにおける当該金銭の種別に割り当てられている区画の表示態様を切替える、
ことを特徴とする請求項２または３に記載の金銭登録機。
【請求項５】
前記表示制御部は、取り出されるべき金銭の収納枚数が閾値以下であるか否かによって、前記ドロア内イメージにおける当該金銭の種別に割り当てられている区画の表示態様を切替える、
ことを特徴とする請求項２または３に記載の金銭登録機。
【請求項６】
会計金額の通知タイミングに対応させて前記ドロアを開放させるドロア制御部を備え、
前記表示制御部は、前記会計金額がお釣りの発生し得ない金額である場合には、前記ドロア内イメージの表示を省略する、
ことを特徴とする請求項１から５のうち何れか１項に記載の金銭登録機。
【請求項７】
前記表示制御部は、前記複数の区画のそれぞれに収納されている金銭の枚数を前記ドロア内イメージとして表示させる、
ことを特徴とする請求項１から５のうち何れか１項に記載の金銭登録機。
【請求項８】
金銭の収納領域が複数の区画に仕切られているドロアと、
前記複数の区画のレイアウト情報と前記複数の区画のそれぞれに収納されている金銭の枚数とをドロア内イメージとして表示させる表示制御部と、
を備えることを特徴とする金銭登録機。
【請求項９】
前記表示制御部は、区画に収納されている金銭の有無によって前記ドロア内イメージにおける前記区画の表示態様を切替える、
ことを特徴とする請求項７または８に記載の金銭登録機。
【請求項１０】
前記表示制御部は、金銭の枚数に対応する数の金銭種別イメージを表示する、
ことを特徴とする請求項１から９のうち何れか１項に記載の金銭登録機。
【請求項１１】
前記表示制御部は、前記ドロアと通信可能に接続されていないことを検知したならば、前記ドロア内イメージの表示を省略する、
ことを特徴とする請求項１から１０のうちの何れか１項に記載の金銭登録機。
【請求項１２】
前記表示制御部は、前記ドロアと通信接続した際に、当該ドロアに対応したドロア内イメージを表示させる、
ことを特徴とする請求項１から１０のうち何れか１項に記載の金銭登録機。
【請求項１３】
売上登録を受け付ける手順と、
売上登録後の会計金額の通知タイミングに対応させて、金銭の収納領域が複数の区画に仕切られているドロアにおける前記複数の区画のレイアウト情報をドロア内イメージとして表示させるとともに前記複数の区画のそれぞれに収納されている金銭の種別情報を表示させる手順と、
をコンピュータに実行させるためのプログラム。
【発明の詳細な説明】
【技術分野】
【０００１】
本発明は、金銭登録機、およびプログラムに関する。
【背景技術】
【０００２】
近年、小売店・飲食店などでの精算時に支払われた硬貨、紙幣などを投入するとお釣りの金額を計算し、自動で釣銭を発行する機械が普及し始めている。このような機械は、自動釣銭機と呼ばれている。これにより、釣銭の受渡しミスを防止し、かつ会計時間を短縮することができる。
【０００３】
金銭登録機にドロアを組み合わせた場合、店員が釣銭の金額を電卓や電子キャッシュレジスタを使って計算し、このお釣りを払い出さなければならない。これに対して金銭登録機に自動釣銭機を組み合わせた場合、お客様から受け取ったお金を投入すれば、お釣りの金額のみを払い出すことができる。これにより、店員は、迅速に釣銭を払い出すことができる。しかし、自動釣銭機は高価であり、小規模な店舗が導入することは困難である。
【０００４】
そこで、自動釣銭機によらず、金銭登録機が迅速な釣り銭硬貨の払い出しを補助することが考えられる（特許文献１）。特許文献１の要約書の解決手段には、「売上商品に係るデータ入力に基づく売上合計金額に対して買上客が紙幣のみを差し出したと仮定した場合の差額である仮釣り銭額を算出し、その仮釣り銭額の内の硬貨で払い出される分についての硬貨金種毎の払出枚数である硬貨金種毎の返却硬貨予想枚数ａ１〜ａ６を算出して表示部１２に硬貨金種毎に表示する。」と記載されている。
【先行技術文献】
【特許文献】
【０００５】
【特許文献１】特開２００１−０３４８３８号公報
【発明の概要】
【発明が解決しようとする課題】
【０００６】
特許文献１に記載の発明は、釣銭硬貨の枚数を提示するというものであり、紙幣については言及されていない。また店員は、釣銭硬貨の枚数を認識して、ドロアから所定の枚数を取り出す必要があり、煩雑である。
また、近年の国際化に伴い、外国人など日本の貨幣に馴染みのない者が店員となる場合がある。このような外国人の店員が各金種と貨幣との対応関係を誤ることにより、釣銭の受渡しミスが発生するおそれがある。
【０００７】
そこで、本発明は、ドロアの入出金に係るミスを防止し、かつ入出金の処理時間を短縮することを課題とする。
【課題を解決するための手段】
【０００８】
本発明は、上記目的を達成するため、
金銭の収納領域が複数の区画に仕切られているドロアに接続された金銭登録機であって、
前記ドロアの所定の開放タイミングに対応させて、前記複数の区画のレイアウト情報をドロア内イメージとして表示させるとともに前記複数の区画のそれぞれに収納されている金銭の種別情報を表示させる表示制御部と、
を備えることを特徴とする金銭登録機である。
【発明の効果】
【０００９】
本発明によれば、ドロアの入出金に係るミスを防止し、かつ入出金の処理時間を短縮することが可能となる。
【図面の簡単な説明】
【００１０】
【図１】第１の実施形態における金銭登録機の外観図である。
【図２】金銭登録機とドロアのブロック図である。
【図３】登録処理後のドロア内イメージを示す図である。
【図４】１００円玉が欠落しているときの登録処理後のドロア内イメージを示す図である。
【図５】登録処理を示すフローチャート（その１）である。
【図６】登録処理を示すフローチャート（その２）である。
【図７】両替処理中のドロア内イメージを示す図である。
【図８】金銭登録機の両替処理を示すフローチャートである。
【図９】入金中の画面を示す図である。
【図１０】入金を実行した後における各種金種枚数と残高のドロア内イメージである。
【図１１】登録処理後のドロア内イメージを示す図である。
【図１２】変形例における登録処理を示すフローチャート（その１）である。
【図１３】変形例における登録処理を示すフローチャート（その２）である。
【図１４】第２の実施形態における金銭登録機とドロアのブロック図である。
【図１５】登録処理後の画面を示す図である。
【図１６】ドロアタイプの選択画面を示す図である。
【図１７】選択したドロア内イメージの設定画面を示す図である。
【図１８】紙幣の選択画面を示す図である。
【図１９】硬貨の選択画面を示す図である。
【図２０】接続されたドロアに応じてドロア内イメージを切替える処理のフローチャートである。
【図２１】タブレット端末が相対的に右に寄った際、ドロア内イメージを画面左寄りに表示することを示す図である。
【図２２】タブレット端末が相対的に左に寄った際、ドロア内イメージを画面右寄りに表示することを示す図である。
【図２３】Ａタイプのドロアに接続したときのドロア内イメージを示す図である。
【発明を実施するための形態】
【００１１】
以降、本発明を実施するための形態を、各図を参照して詳細に説明する。
図１は、第１の実施形態における電子キャッシュレジスタ１の外観図である。
電子キャッシュレジスタ１は、その前面にタッチパネルディスプレイ１４が設けられ、左側に印刷部１６が設けられている。
電子キャッシュレジスタ１は、ドロア２ａとは電気的に接続され、このドロア２ａの上に載置されている。電子キャッシュレジスタ１とドロア２ａとは、分離可能である。
電子キャッシュレジスタ１の筐体の左側には印刷部１６が配置され、その右側にはタッチパネルディスプレイ１４が配置されている。
【００１２】
電子キャッシュレジスタ１の操作者（店員）は、タッチパネルディスプレイ１４上のソフトウェアボタンを介して商品の単価と部門とを入力し、小計を表示させたのちに預り金を入力することで、商品を登録できる。この商品の登録時に、電子キャッシュレジスタ１は、ドロア２ａを引き出して、預り金を入金させ、更に顧客にお釣りを返させる。
【００１３】
図２は、電子キャッシュレジスタ１とドロア２ａのブロック図である。
電子キャッシュレジスタ１は、ＣＰＵ１１、ＲＡＭ１２、ＲＯＭ１３、記憶部１９、印刷部１６、タッチパネルディスプレイ１４、顧客用ディスプレイ１５、通信部１７を含んで構成され、各部はバスで接続されている。そして電子キャッシュレジスタ１は、ドロア２ａと通信可能に接続されており、ドロア２ａのロックを外させて、このドロア２ａの金銭格納部分を引き出させることができる。
【００１４】
ＣＰＵ１１は、ＲＯＭ１３や記憶部１９などに記憶されているキャッシュレジスタプログラム１９２と、タッチパネルディスプレイ１４から入力される各種指示とをＲＡＭ１２内のワークメモリに展開する。ＣＰＵ１１は更に、この入力指示および入力データに応じてワークメモリに展開したキャッシュレジスタプログラム１９２に従って各種処理を実行し、その処理結果をＲＡＭ１２内のワークメモリに格納すると共に、タッチパネルディスプレイ１４に表示する。そしてＣＰＵ１１は、ワークメモリに格納した処理結果をタッチパネルディスプレイ１４から指示されるＲＡＭ１２内の保存先に保存する。このＣＰＵ１１は、ドロア２ａの所定の開放タイミングに対応させて、ドロア２ａ内の区画レイアウト情報をドロア内イメージ４ａとして表示させると共に区画のそれぞれに収納されている金銭の種別情報を表示させる表示制御部として機能する。
【００１５】
タッチパネルディスプレイ１４は、文字や図形や映像などを表示する表示装置である。タッチパネルディスプレイ１４は更に、入力ペンや指先等により指示された座標を感知し、電磁誘電方式、磁気歪式、感圧式等の座標読み取り原理で指示された位置座標を検出して、位置信号をＣＰＵ１１に出力する。
【００１６】
顧客用ディスプレイ１５は、液晶ディスプレイや有機ＥＬ（Electro Luminescence）ディスプレイにより構成され、数字や文字や図面の表示に対応している。電子キャッシュレジスタ１は、ＣＰＵ１１から入力される表示データに基づく信号を生成して、顧客用ディスプレイ１５に各種表示を行う。
【００１７】
印刷部１６は、例えば熱転写プリンタであり、レシート情報をロールペーパ（レシート用紙）に印字して出力する。この印刷部１６は、ＣＰＵ１１の指示により、レシート用紙に精算レポートや点検レポートを印字する。
【００１８】
記憶部１９は、磁気的または光学的記憶媒体、半導体メモリなどの書換え可能な記憶媒体で構成されている。この記憶部１９は、システムプログラムおよび、キャッシュレジスタプログラム１９２、商品やサービスの販売価格情報を格納したＰＬＵ（Price Look Up）１９１などを記憶する。
【００１９】
通信部１７は、例えばWi-Fi（登録商標）等に対応した通信手段である。また、記憶部１９に記憶するプログラム、データ等は、その一部または全部をサーバやクライアント等の他の機器からネットワーク回線等の伝送媒体を介して受信して記憶する構成にしてもよい。更に記憶部１９は、ネットワーク上に構築されたサーバの記録媒体であってもよい。更に、各プログラムは、ネットワーク回線等の伝送媒体を介してサーバやクライアントへ伝送してこれらの機器にインストールするように構成してもよい。
【００２０】
図３は、登録処理後のドロア内イメージ４ａを示す図である。
操作者が商品の登録を実行したのち、小計ボタン（不図示）をタップすると、この図３に示す会計画面３ａに遷移する。
会計画面３ａは、左上に支払領域３１が配置され、右上に合計欄３２、現金欄３３、お釣り欄３４、レシートボタン３５、領収書ボタン３６、「続ける」ボタン３７、「閉じる」ボタン３８が配置される。これらの下には、ドロア内イメージ４ａが表示されている。
支払領域３１は、登録された商品と個数と金額を表示し、更に内税対象額と内税と合計を表示する領域である。なお、図３で各商品は１つだけ購入されているため、個数の表示は省略されている。
【００２１】
合計欄３２は、支払金額の合計を表示する欄である。現金欄３３は、顧客から受け取った現金を表示する欄である。お釣り欄３４は、顧客に引き渡すお釣りの金額を表示する欄である。レシートボタン３５は、レシートを発行するためのボタンである。領収書ボタン３６は、領収書を発行するためのボタンである。「続ける」ボタン３７は、追加の商品を登録する画面に遷移するためのボタンである。「閉じる」ボタン３８は、この会計画面３ａを閉じるボタンである。
【００２２】
ドロア内イメージ４ａには、１円玉領域４１、５円玉領域４２、１０円玉領域４３、５０円玉領域４４、１００円玉領域４５、５００円玉領域４６、１千円札領域４７、２千円札領域４８、５千円札領域４９、１万円札領域４０を含んでいる。これら各領域の位置は、ドロア２ａ内の１円玉区画２１、５円玉区画２２、１０円玉区画２３、５０円玉区画２４、１００円玉区画２５、５００円玉区画２６、１千円札区画２７、２千円札区画２８、５千円札区画２９、１万円札区画２０が配置されている位置に対応している。
【００２３】
１円玉領域４１は、ドロア内イメージ４ａの下段の左から１番目である。そして１円玉区画２１は、ドロア２ａ内の手前側の左から１番目にレイアウトされている。
５円玉領域４２は、ドロア内イメージ４ａの下段の左から２番目である。そして５円玉区画２２は、ドロア２ａ内の手前側の左から２番目にレイアウトされている。
１０円玉領域４３は、ドロア内イメージ４ａの下段の左から３番目である。そして１０円玉区画２３は、ドロア２ａ内の手前側の左から３番目にレイアウトされている。
【００２４】
５０円玉領域４４は、ドロア内イメージ４ａの下段の右から３番目である。そして５０円玉区画２４は、ドロア２ａ内の手前側の右から３番目にレイアウトされている。
１００円玉領域４５は、ドロア内イメージ４ａの下段の右から２番目である。そして１００円玉区画２５は、ドロア２内の手前側の右から２番目にレイアウトされている。
５００円玉領域４６は、ドロア内イメージ４ａの下段の右から１番目である。そして５００円玉区画２６は、ドロア２ａ内の手前側の右から１番目にレイアウトされている。
【００２５】
１千円札領域４７は、ドロア内イメージ４ａの上段の右から１番目である。そして１千円札区画２７は、ドロア２ａ内の奧側の右から１番目にレイアウトされている。
２千円札領域４８は、ドロア内イメージ４ａの上段の右から２番目である。そして２千円札区画２８は、ドロア２ａ内の奥側の右から２番目にレイアウトされている。
【００２６】
５千円札領域４９は、ドロア内イメージ４ａの上段の左から２番目である。そして５千円札区画２９は、ドロア２ａ内の奥側の左から２番目にレイアウトされている。
１万円札領域４０は、ドロア内イメージ４ａの上段の左から１番目である。そして１万円札区画２０は、ドロア２ａ内の奥側の左から１番目にレイアウトされている。
【００２７】
つまりドロア内イメージ４ａには、１円玉区画２１、５円玉区画２２、１０円玉区画２３、５０円玉区画２４、１００円玉区画２５、５００円玉区画２６、１千円札区画２７、２千円札区画２８、５千円札区画２９、１万円札区画２０のレイアウト情報が表示されている。
１円玉領域４１、５円玉領域４２、１０円玉領域４３、５０円玉領域４４、１００円玉領域４５、５００円玉領域４６には、各硬貨の名称と、お釣りとして最も合理的な枚数が表示されている。
【００２８】
１千円札領域４７、２千円札領域４８、５千円札領域４９、１万円札領域４０には、各紙幣の名称が表示されている。更に１千円札領域４７、２千円札領域４８、５千円札領域４９には、お釣りとして最も合理的な枚数が表示されている。
【００２９】
図３において、お釣り金額は８，１０８円である。更に２千円札は、お釣りとしては使用しないように予め設定されている。このとき、お釣りとして最も合理的な枚数は、５千円札が１枚、１千円札が３枚、１００円玉が１枚、５円玉が１枚、１円玉が３枚である。
【００３０】
つまり、５千円札領域４９には、「５千円札・１枚」が表示されている。１千円札領域４７には、「１千円札・３枚」が表示されている。１００円玉領域４５には、「１００円玉・１枚」が表示されている。５円玉領域４２には、「５円玉・１枚」が表示されている。
【００３１】
１円玉領域４１には、「１円玉・３枚」が表示されている。つまり、電子キャッシュレジスタ１のＣＰＵ１１は、お釣り額から紙幣および硬貨の最も合理的な枚数を算出して、タッチパネルディスプレイ１４上に表示している。なお、お釣りとして最も合理的とは、枚数の総計が最小になることをいう。
【００３２】
ドロア内イメージ４ａは更に、今回のお釣りとして必要な金種である５千円札領域４９、１千円札領域４７、１００円玉領域４５、５円玉領域４２、１円玉領域４１を、それぞれは橙色で表示し、お釣りとして必要な金種であることを示している。また、それ以外の１万円札領域４０、２千円札領域４８、５００円玉領域４６、５０円玉領域４４、１０円玉領域４３を、それぞれ青色で表示し、お釣りとして不要な金種であることを示している。
【００３３】
この図３では、これらお釣りとして必要な金種の領域をハッチングで示している。つまり、電子キャッシュレジスタ１のＣＰＵ１１は、お釣りの必要がない金種と必要がある金種の表記を分けて表示している。使用しない紙幣や硬貨が予め設定されているので、ＣＰＵ１１は、それ以外の金種の貨幣でお釣りを表現する。ここでは、２千円札を使用しない設定としている。
このようにすることで、電子キャッシュレジスタ１は、店員による釣銭の受渡しミスを防止し、かつ会計時間を短縮させることができる。
【００３４】
図４は、ドロア２ａにおいて１００円玉が欠落しているときの登録処理後の会計画面３ｂとドロア内イメージ４ａを示す図である。
この図４においても、お釣り金額は８，１０８円である。２千円札は、お釣りとしては使用しないように予め設定されている。更にドロア２ａにおいて、１００円玉が欠落している。このとき、お釣りとして最も合理的な枚数は、５千円札が１枚、１千円札が３枚、５０円玉が２枚、５円玉が１枚、１円玉が３枚である。
【００３５】
ドロア内イメージ４ａには、今回のお釣りとして必要な金種である５千円札領域４９、１千円札領域４７、５０円玉領域４４、５円玉領域４２、１円玉領域４１を、それぞれ橙色で表示し、お釣りとして必要な金種であることを示している。また、それ以外の１万円札領域４０、２千円札領域４８、５００円玉領域４６、１０円玉領域４３を、それぞれ青色で表示し、お釣りとして不要な金種であることを示している。更に、１００円玉領域４５を灰色で表示し、お釣り切れであることを示している。
【００３６】
この電子キャッシュレジスタ１のＣＰＵ１１は、釣銭切れの硬貨または紙幣を検知して、他の硬貨または紙幣で代替している。この電子キャッシュレジスタ１は、入金の際にドロア２内のお釣り用の現金の数を予め登録する。この登録処理を、後記する図９と図１０を参照して説明する。
更に、この電子キャッシュレジスタ１は、両替に伴うお釣り用の現金の数の変動を記録する。この両替処理を、後記する図７と図８を参照して説明する。
【００３７】
図５と図６は、商品の登録処理を示すフローチャートである。
店員が顧客の注文を受け、電子キャッシュレジスタ１を商品の登録画面に遷移させると、商品の登録処理が開始する。
電子キャッシュレジスタ１のＣＰＵ１１は、商品の登録画面（不図示）において、顧客の注文入力を受け付け（ステップＳ１０）、その入力を判定する（ステップＳ１１）。
【００３８】
ステップＳ１１において、ＣＰＵ１１は、店員によって数字が入力されたならば、購入した商品の数量を決定して、ステップＳ１０の処理に戻る。ステップＳ１１において、ＣＰＵ１１は、店員によって商品情報が入力されたならば、ＰＬＵ１９１を参照して購入した商品の単価を決定し、ステップＳ１０の処理に戻る。ステップＳ１１において、ＣＰＵ１１は、店員によって小計キーが入力されたならば、入力された商品情報に紐付けられた単価と、入力された数量に基づき、小計を算出する（ステップＳ１４）。
【００３９】
その後、ＣＰＵ１１は、受領した現金の金額の入力を受け付けると（ステップＳ１５）、ドロア２ａを開く（ステップＳ１６）。ＣＰＵ１１は、売上に伴う入金が最も合理的な場合の金種数量を推定して、ドロア２ａ内の各金種の残高情報を更新する（ステップＳ１７）。売上に伴う入金は、殆どの場合において最も合理的な支払金種が用いられる。最も合理的な支払金種が用いられない場合は、比率としてはかなり少ない。よって、ＣＰＵ１１は、売上に伴う入金が最も合理的な支払金種で構成されると仮定して、各金種の残高を更新する。なお、最も合理的な支払金種が用いられない場合、店員が後記する両替機能を用いて金種残高を整合させるとよい。
【００４０】
次にＣＰＵ１１は、小計額から受領した現金の額を減算してお釣り額を算出する（ステップＳ１８）。ＣＰＵ１１は、お釣りが無ければ（ステップＳ１９→Ｎｏ）、お釣りを０円としてドロア内イメージ４ａ（図３参照）を含まない会計画面３ａ（図３参照）をタッチパネルディスプレイ１４に表示し（ステップＳ２０）、この商品登録処理を終了する。
【００４１】
ＣＰＵ１１は、お釣りが有れば（ステップＳ１９→Ｙｅｓ）、ドロア２ａが接続中か否かを判定する（ステップＳ２０）。ＣＰＵ１１は、ドロア２ａが接続中でないならば（ステップＳ２０→Ｎｏ）、ステップＳ２１の処理に進む。ＣＰＵ１１は、ドロア２ａが接続中ならば（ステップＳ２０→Ｙｅｓ）、ドロア内イメージ４ａ（図３参照）を含んだ会計画面３ａ（図３参照）をタッチパネルディスプレイ１４に表示し（ステップＳ２２）、図５のステップＳ３０〜Ｓ４３の処理を繰り返す。つまりＣＰＵ１１は、ドロア２ａの開放タイミングに対応させて、複数の区画のレイアウト情報をドロア内イメージ４ａとして表示させるとともに、これら複数の区画のそれぞれに収納されている金銭の種別情報を表示させる。
【００４２】
ステップＳ３０〜Ｓ４３において、ＣＰＵ１１は、金種を５千円札から１円玉まで降順で繰り返す。ＣＰＵ１１は、お釣りの現在の金額から、この金種の金額を除算する（ステップＳ３１）。これによりＣＰＵ１１は、この金種のお釣り枚数を算出する処理である。例えば、図３のようにお釣り額が８，１０８円のとき、ＣＰＵ１１は、このお釣り額から５千円札の金額を除算して、１枚を算出する。
【００４３】
ＣＰＵ１１は、この金種のお釣り枚数がドロア２ａに無く、釣銭不足ならば（ステップＳ３２→Ｙｅｓ）、ドロア内イメージ４ａのこの金種領域に、この金種が０枚であることを数字で表示し、釣銭切れであることを灰色で表示する（ステップＳ３３）。ＣＰＵ１１は、結果としてより少額の金種でお釣りを代替させ（ステップＳ３４）、ステップＳ４３に進む。ＣＰＵ１１は、釣銭不足でないならば（ステップＳ３２→Ｎｏ）、ステップＳ３３に進む。
【００４４】
ＣＰＵ１１は、この金種のお釣り枚数が０枚か、またはこの金種が不使用に指定されていたならば（ステップＳ３５→Ｙｅｓ）、ドロア内イメージ４ａのこの金種領域に、この金種が０枚であることを数字と青色で表示する（ステップＳ３６）。ＣＰＵ１１は、結果としてより少額の金種でお釣りを代替させ（ステップＳ３７）、ステップＳ４３に進む。ＣＰＵ１１は、この金種のお釣り枚数が０枚ではなく、かつこの金種が不使用に指定されていないならば（ステップＳ３５→Ｎｏ）、ステップＳ３８に進む。
【００４５】
ＣＰＵ１１は、ドロア２ａ内に、この金種の枚数が閾値以下しかないならば（ステップＳ３８→Ｙｅｓ）、残高警告を黄色で表示し（ステップＳ３９）、ステップＳ４１に進む。ＣＰＵ１１は、ドロア２ａ内に、この金種の枚数が閾値を超えて存在するならば（ステップＳ３８→Ｎｏ）、お釣り有りを橙色で表示し（ステップＳ４０）、ステップＳ４１に進む。
【００４６】
ステップＳ４１において、ＣＰＵ１１は、お釣りの枚数を数字で表示する。ＣＰＵ１１は、この金種の枚数からお釣りの残額を更新する（ステップＳ４２）。
具体的にいうと、金種が５千円札で、かつお釣り額が８，１０８円のとき、ＣＰＵ１１は、このお釣り額から５千円札の枚数を１巻きとして、お釣りの残額を３，１０８円とする。次の金種で計算に用いるのは、このお釣りの残額である。
金種が１千円札で、かつお釣り額が３，１０８円のとき、ＣＰＵ１１は、このお釣り額から１千円札のお釣り枚数を３枚として、お釣りの残高を１０８円とする。
【００４７】
金種が５００円玉で、かつお釣り額が１０８円のとき、ＣＰＵ１１は、このお釣り額から５００円玉のお釣り枚数を０枚として、お釣りの残高を１０８円とする。
金種が１００円玉で、かつお釣り額が１０８円のとき、ＣＰＵ１１は、このお釣り額から１００円玉のお釣り枚数を１枚として、お釣りの残高を８円とする。
【００４８】
金種が５０円玉で、かつお釣り額が８円のとき、ＣＰＵ１１は、このお釣り額から５０円玉のお釣り枚数を０枚として、お釣りの残高を８円とする。
金種が１０円玉で、かつお釣り額が８円のとき、ＣＰＵ１１は、このお釣り額から１０円玉のお釣り枚数を０枚として、お釣りの残高を８円とする。
【００４９】
金種が５円玉で、かつお釣り額が８円のとき、ＣＰＵ１１は、このお釣り額から５円玉のお釣り枚数を１枚として、お釣りの残高を３円とする。
金種が１円玉で、かつお釣り額が３円のとき、ＣＰＵ１１は、このお釣り額から１円玉のお釣り枚数を３枚とする。
【００５０】
ステップＳ４３において、ＣＰＵ１１は、１円まで処理を繰り返していないならば、ステップＳ３０の処理に戻る。ＣＰＵ１１は、１円まで処理を繰り返したならば、この商品の登録処理を終了する。
【００５１】
《両替処理》
両替処理とは、顧客の求めに応じて或る金種の紙幣や硬貨を、それよりも低額な紙幣や硬貨と引き替える処理のことをいう。両替処理においても、ドロア内イメージ４ａを用いることで好適に各種金種の残数を管理しつつ入出金が可能である。ＣＰＵ１１は、ドロア２ａの開放タイミングに対応させて取り出されるべき金銭の枚数を、このドロア内イメージ４ａにおける金銭の種別に割り当てられている区画に対応付けて表示させる。
【００５２】
図７は、両替処理中のドロア内イメージ４ａを示す図である。
操作者がメイン画面から両替ボタン（不図示）をタップして、ドロア内イメージ４ａから１万円札領域４０をタップすると、この両替画面５に遷移する。
両替画面５は、左上に両替欄５１が配置され、右上に選択欄５２が配置されている。両替欄５１には、両替したい金種の金額が表示される。選択欄５２には、両替後の選択肢を示す選択肢５３ａ〜５３ｃと、両替実行ボタン５４と、「閉じる」ボタン５５が表示される。選択肢５３ａは、５千円札２枚に両替するというものである。選択肢５３ｂは、５千円札１枚と１千円札５枚に両替するというものである。選択肢５３ｂは、１千円札１０枚に両替するというものである。
【００５３】
この両替画面５には、図３や図４と同様なドロア内イメージ４ａが表示されている。この選択肢５３ａ〜５３ｃの何れかをタップすると、両替に用いられる金種と枚数がドロア内イメージ４ａに表示される。ここでは選択肢５３ｂがタップされているので、５千円札領域４９は橙色で表示され、更に「５千円札・１枚」が表示されている。１千円札領域４７は橙色で表示され、更に「１千円札・５枚」が表示されている。それ以外の領域は青色で表示され、更に各金種の金額と「０円」とが表示されている。
このように、両替の金種と金額を、ドロア２の各区画の配置に対応した場所に表示することで、操作者は、誤りなく両替金額を顧客に引き渡すことができる。
このドロア内イメージ４ａは、両替したい金種の入力にも用いられる。ここでは１万円札領域４０がタップされているが、例えば５千円札領域４９がタップされると、両替したい金種が５，０００円に切り替わり、かつ選択肢５３ａ〜５３ｃが、５千円札の両替に対応した選択肢に切り替わる。
このようにすることで、電子キャッシュレジスタ１は、店員による両替金の引渡しミスを防止し、かつ両替時間を短縮させることができる。
【００５４】
図８は、電子キャッシュレジスタ１の両替処理を示すフローチャートである。
操作者がメイン画面から両替ボタン（不図示）をタップすると、ステップＳ５０の処理を開始する。
操作者は、ドロア内イメージ４ａの何れかの金種領域をタップして、両替したい金種を入力する（ステップＳ５０）。なお、図７に示した両替画面５では、１万円札領域４０がタップされているので、両替したい金種は１０，０００円となる。
【００５５】
次にＣＰＵ１１は、両替したい金種から、その両替パターンを取得する。本実施形態のＣＰＵ１１は、両替パターンをテーブルから取得するが、例えば演算によって取得してもよく、限定されない。
ＣＰＵ１１は、デフォルトの両替パターンにおける各金種の枚数をドロア内イメージ４ａに表示すると（ステップＳ５３）、ユーザ操作を判定する（ステップＳ５４）。
【００５６】
ステップＳ５４において、ＣＰＵ１１は、ユーザ操作が両替実行ボタン５４のタップならば、ステップＳ５５に進み、両替金額と、選択中の両替パターンで各金種の残数を更新して、図８の処理を終了する。具体的にいうと、図７においてユーザが両替実行ボタン５４をタップすると、ＣＰＵ１１は、両替金額である１万円札の残数を１つ加算し、選択中の両替パターンに基づき５千円札の残数を１つ減算し、かつ千円札の残数を５つ減算する。
【００５７】
ステップＳ５４において、ＣＰＵ１１は、ユーザ操作が選択肢５３ａ〜５３ｃのタップならば、ステップＳ５６に進み、選択した両替パターンにおける各金種の枚数をドロア内イメージ４ａに表示し、ステップＳ５４の処理に戻る。具体的にいうと、図７においてユーザが選択肢５３ａをタップすると、５千円札領域４９は橙色で表示され、更に「５千円札・２枚」が表示される。それ以外の領域は青色で表示され、更に各金種の金額と「０円」とが表示される。
【００５８】
ステップＳ５４において、ＣＰＵ１１は、ユーザ操作がドロア内イメージ４ａの金種領域のタップならば、ステップＳ５１に戻り、両替パターンを再取得する。
【００５９】
《入金処理》
入金処理とは、お釣りなどを補充する目的でドロア２ａに硬貨や紙幣を入金する処理のことをいう。入金処理においても、ドロア内イメージ４ａを用いることで好適に各種金種の残数を管理しつつ入金可能である。ＣＰＵ１１は、ドロア２ａの開放タイミングに対応させて収納されるべき金銭の枚数を、このドロア内イメージ４ａにおける金銭の種別に割り当てられている区画に対応付けて表示させる。
【００６０】
図９は、入金中の画面を示す図である。
操作者がメイン画面（不図示）から入金ボタン（不図示）をタップすると、この入金画面６に遷移する。
入金画面６は、金種枚数領域６１と、その下側の合計欄６２と、テンキー６３と、実行ボタン６４を含んでいる。
【００６１】
金種枚数領域６１は、入金したい金種をタップによって指定するための領域であり、かつ入金したい枚数を表示する領域である。テンキー６３は、数字を入力するためのキーと、その入力を確定するためのＥＮＴキーを含んでいる。ユーザは、金種枚数領域６１のうち何れかの金種の領域をタップしたのち、テンキー６３をタップして枚数を入力する。これにより、金種枚数領域６１には、入金したい枚数が表示される。
【００６２】
合計欄６２は、入金したい金額の合計を表示する欄である。実行ボタン６４は、入金する金種と枚数の組合せを確定するボタンである。実行ボタン６４のタップにより、ＣＰＵ１１は、各金種の残枚数に入金枚数を加算したのち、図１０に示す残高画面７を表示させる。
【００６３】
図１０は、入金を実行した後における各種金種枚数と残高のドロア内イメージ４ａである。
残高画面７は、タイトルバーに「各金種枚数と残高」と表示され、その下側には「ドロアに入金後の各金種の枚数を示しています。」が表示される。
更に、ドロア２ａ内の金額の合計額を表示する合計欄７１と、「閉じる」ボタン７２と、ドロア内イメージ４ａとが表示されている。このドロア内イメージ４ａには、各金種とその残枚数とが表示されている。このように、ドロア内イメージ４ａによって各金種の残数を表示することにより、容易にお釣り不足を検知可能であり、更に店員による入金ミスを防止し、かつ入金に要する時間を短縮させることができる。
【００６４】
なお、入金処理と同様に出金処理においても、ドロア内イメージ４ａを用いることで好適に各種金種の残数を管理しつつ出金可能である。これにより、電子キャッシュレジスタ１は、店員による出金ミスを防止し、かつ出金に要する時間を短縮させることができる。
【００６５】
《第１の実施形態の変形例》
第１の実施形態の変形例は、紙幣や硬貨の種別と枚数とをアイコン（イラスト）で表現するものである。これにより、日本語に馴染みのない外国人の店員もお釣りの払い出しが判りやすくなる。
図１１は、変形例における登録処理後のドロア内イメージ４を示す図である。
操作者が商品の登録を実行したのち、小計ボタン（不図示）をタップすると、この図１１に示す会計画面３ｃに遷移する。
会計画面３ａは、左上に支払領域３１が配置され、右上に合計欄３２、現金欄３３、お釣り欄３４、レシートボタン３５、領収書ボタン３６、「続ける」ボタン３７、「閉じる」ボタン３８が配置される。これらの下には、ドロア内イメージ４ｂが表示されている。
支払領域３１と、合計欄３２、現金欄３３、お釣り欄３４、レシートボタン３５、領収書ボタン３６、「続ける」ボタン３７、「閉じる」ボタン３８は、図３に示した各要素と同一である。
【００６６】
ドロア内イメージ４ｂには、１円玉領域４１ｂ、５円玉領域４２ｂ、１０円玉領域４３ｂ、５０円玉領域４４ｂ、１００円玉領域４５ｂ、５００円玉領域４６ｂ、１千円札領域４７ｂ、２千円札領域４８ｂ、５千円札領域４９ｂ、１万円札領域４０ｂを含んでいる。
【００６７】
これら領域の位置は、ドロア２ａ内の１円玉区画２１、５円玉区画２２、１０円玉区画２３、５０円玉区画２４、１００円玉区画２５、５００円玉区画２６、１千円札区画２７、２千円札区画２８、５千円札区画２９、１万円札区画２０が配置されている位置に対応している。なお、ドロア内イメージ４ａ，４ｂなどを特に区別しないときには、単にドロア内イメージ４と記載する。
【００６８】
１円玉領域４１ｂは、ドロア内イメージ４ｂの下段の左から１番目である。そして１円玉区画２１は、ドロア２ａ内の手前側の左から１番目にレイアウトされている。
５円玉領域４２ｂは、ドロア内イメージ４ｂの下段の左から２番目である。そして５円玉区画２２は、ドロア２ａ内の手前側の左から２番目にレイアウトされている。
１０円玉領域４３ｂは、ドロア内イメージ４ｂの下段の左から３番目である。そして１０円玉区画２３は、ドロア２ａ内の手前側の左から３番目にレイアウトされている。
【００６９】
５０円玉領域４４ｂは、ドロア内イメージ４ｂの下段の右から３番目である。そして５０円玉区画２４は、ドロア２ａ内の手前側の右から３番目にレイアウトされている。
１００円玉領域４５ｂは、ドロア内イメージ４ｂの下段の右から２番目である。そして１００円玉区画２５は、ドロア２内の手前側の右から２番目にレイアウトされている。
５００円玉領域４６ｂは、ドロア内イメージ４ｂの下段の右から１番目である。そして５００円玉区画２６は、ドロア２ａ内の手前側の右から１番目にレイアウトされている。
【００７０】
１千円札領域４７ｂは、ドロア内イメージ４ｂの上段の右から１番目である。そして１千円札区画２７は、ドロア２ａ内の奧側の右から１番目にレイアウトされている。
２千円札領域４８ｂは、ドロア内イメージ４ｂの上段の右から２番目である。そして２千円札区画２８は、ドロア２ａ内の奥側の右から２番目にレイアウトされている。
５千円札領域４９ｂは、ドロア内イメージ４ｂの上段の左から２番目である。そして５千円札区画２９は、ドロア２ａ内の奥側の左から２番目にレイアウトされている。
１万円札領域４０ｂは、ドロア内イメージ４ｂの上段の左から１番目である。そして１万円札区画２０は、ドロア２ａ内の奥側の左から１番目にレイアウトされている。
【００７１】
つまりドロア内イメージ４ａには、１円玉区画２１、５円玉区画２２、１０円玉区画２３、５０円玉区画２４、１００円玉区画２５、５００円玉区画２６、１千円札区画２７、２千円札区画２８、５千円札区画２９、１万円札区画２０のレイアウト情報が表示されている。
１円玉領域４１ｂ、５円玉領域４２ｂ、１０円玉領域４３ｂ、５０円玉領域４４ｂ、１００円玉領域４５ｂ、５００円玉領域４６ｂには、各硬貨のアイコンが表示され、且つお釣りとして最も合理的な枚数が表示されている。お釣り枚数が０のとき、各領域には、各硬貨の小アイコンが表示されている。お釣り枚数が１以上のとき、各領域には、各硬貨の大アイコンがお釣り枚数だけ表示されている。
【００７２】
１千円札領域４７、２千円札領域４８、５千円札領域４９、１万円札領域４０には、各紙幣のアイコンが表示され、且つお釣りとして最も合理的な枚数が表示されている。お釣り枚数が０のとき、各領域には、各紙幣の小アイコンが表示されている。お釣り枚数が１以上のとき、各領域には、各紙幣の大アイコンがお釣り枚数だけ表示されている。
【００７３】
図１１において、お釣り金額は８，１０８円である。更に２千円札は、お釣りとしては使用しないように予め設定されている。このとき、お釣りとして最も合理的な枚数は、５千円札が１枚、１千円札が３枚、１００円玉が１枚、５円玉が１枚、１円玉が３枚である。
【００７４】
つまり、５千円札領域４９には、５千円札の大アイコンが表示されている。１千円札領域４７には、１千円札の大アイコンが３個表示されている。１００円玉領域４５には、「１００円玉の大アイコンが１個表示されている。５円玉領域４２には、５円玉の大アイコンが１個表示されている。１円玉領域４１には、１円玉の大アイコンが３個表示されている。それ以外の領域には、小アイコンが表示されている。
つまり、電子キャッシュレジスタ１のＣＰＵ１１は、お釣り額から紙幣および硬貨の最も合理的な枚数を算出して、タッチパネルディスプレイ１４上に表示している。なお、お釣りとして最も合理的とは、枚数の総計が最小になることをいう。
【００７５】
ドロア内イメージ４ｂは更に、今回のお釣りとして必要な金種である５千円札領域４９ｂ、１千円札領域４７ｂ、１００円玉領域４５ｂ、５円玉領域４２ｂ、１円玉領域４１ｂを、それぞれは橙色で表示し、お釣りとして必要な金種であることを示している。また、それ以外の１万円札領域４０ｂ、２千円札領域４８ｂ、５００円玉領域４６ｂ、５０円玉領域４４ｂ、１０円玉領域４３ｂを、それぞれ青色で表示し、お釣りとして不要な金種であることを示している。
【００７６】
この図１１では、これらお釣りとして必要な金種の領域をハッチングで示している。つまり、電子キャッシュレジスタ１のＣＰＵ１１は、お釣りの必要がない金種と必要がある金種の表記を分けて表示している。
使用しない紙幣や硬貨が予め設定されているので、ＣＰＵ１１は、それ以外の金種の貨幣でお釣りを表現する。ここでは、２千円札を使用しない設定としている。
【００７７】
図１２と図１３は、変形例における登録処理を示すフローチャートである。
店員が顧客の注文を受け、電子キャッシュレジスタ１を商品の登録画面に遷移させると、商品の登録処理が開始する。
電子キャッシュレジスタ１のＣＰＵ１１は、商品の登録画面（不図示）において、顧客の注文入力を受け付け（ステップＳ６０）、その入力を判定する（ステップＳ６１）。
【００７８】
ステップＳ６１において、ＣＰＵ１１は、店員によって数字が入力されたならば、購入した商品の数量を決定して（ステップＳ６２）、ステップＳ６０の処理に戻る。ステップＳ６１において、ＣＰＵ１１は、店員によって商品情報が入力されたならば、ＰＬＵ１９１を参照して購入した商品の単価を決定し（ステップＳ６３）、ステップＳ６０の処理に戻る。ステップＳ６１において、ＣＰＵ１１は、店員によって小計キーが入力されたならば、入力された商品情報に紐付けられた単価と、入力された数量に基づき、小計を算出する（ステップＳ６４）。
【００７９】
その後、ＣＰＵ１１は、受領した現金の金額の入力を受け付けると（ステップＳ６５）、ドロア２ａを開く（ステップＳ６６）。ＣＰＵ１１は、売上に伴う入金が最も合理的な場合の金種数量を推定して、ドロア２ａ内の各金種の残高情報を更新する（ステップＳ６７）。売上に伴う入金は、殆どの場合において最も合理的な支払金種が用いられる。最も合理的な支払金種が用いられない場合は、比率としてはかなり少ない。よって、ＣＰＵ１１は、売上に伴う入金が最も合理的な支払金種で構成されると仮定して、各金種の残高を更新する。なお、最も合理的な支払金種が用いられない場合、店員が後記する両替機能を用いて金種残高を整合させるとよい。
【００８０】
次にＣＰＵ１１は、小計額から受領した現金の額を減算してお釣り額を算出する（ステップＳ６８）。ＣＰＵ１１は、お釣りが無ければ（ステップＳ６９→Ｎｏ）、お釣りを０円としてドロア内イメージ４ａ（図３参照）を含まない会計画面３ａ（図３参照）をタッチパネルディスプレイ１４に表示し（ステップＳ７０）、この商品登録処理を終了する。
【００８１】
ＣＰＵ１１は、お釣りが有れば（ステップＳ６９→Ｙｅｓ）、ドロア２ａが接続中か否かを判定する（ステップＳ７０）。ＣＰＵ１１は、ドロア２ａが接続中でないならば（ステップＳ７０→Ｎｏ）、ステップＳ７１の処理に進む。ＣＰＵ１１は、ドロア２ａが接続中ならば（ステップＳ７０→Ｙｅｓ）、ドロア内イメージ４ａ（図３参照）を含んだ会計画面３ａ（図３参照）をタッチパネルディスプレイ１４に表示し（ステップＳ７２）、図５のステップＳ８０〜Ｓ９３の処理を繰り返す。
【００８２】
ステップＳ８０〜Ｓ９３において、ＣＰＵ１１は、金種を５千円札から１円玉まで降順で繰り返す。ＣＰＵ１１は、お釣りの現在の金額から、この金種の金額を除算する（ステップＳ８１）。これによりＣＰＵ１１は、この金種のお釣り枚数を算出する処理である。例えば、図３のようにお釣り額が８，１０８円のとき、ＣＰＵ１１は、このお釣り額から５千円札の金額を除算して、１枚を算出する。
【００８３】
ＣＰＵ１１は、この金種のお釣り枚数がドロア２ａに無く、釣銭不足ならば（ステップＳ８２→Ｙｅｓ）、ドロア内イメージ４ａのこの金種領域に、この金種が０枚であることを小アイコンで表示し、釣銭切れであることを灰色で表示する（ステップＳ８３）。ＣＰＵ１１は、結果としてより少額の金種でお釣りを代替させ（ステップＳ８４）、ステップＳ９３に進む。ＣＰＵ１１は、釣銭不足でないならば（ステップＳ８２→Ｎｏ）、ステップＳ８３に進む。
【００８４】
ＣＰＵ１１は、この金種のお釣り枚数が０枚か、またはこの金種が不使用に指定されていたならば（ステップＳ８５→Ｙｅｓ）、ドロア内イメージ４ａのこの金種領域に、この金種が０枚であることを小アイコンと青色で表示する（ステップＳ８６）。ＣＰＵ１１は、結果としてより少額の金種でお釣りを代替させ（ステップＳ８７）、ステップＳ９３に進む。ＣＰＵ１１は、この金種のお釣り枚数が０枚ではなく、かつこの金種が不使用に指定されていないならば（ステップＳ８５→Ｎｏ）、ステップＳ８８に進む。
【００８５】
ＣＰＵ１１は、ドロア２ａ内に、この金種の枚数が閾値以下しかないならば（ステップＳ８８→Ｙｅｓ）、残高警告を黄色で表示し（ステップＳ８９）、ステップＳ９１に進む。ＣＰＵ１１は、ドロア２ａ内に、この金種の枚数が閾値を超えて存在するならば（ステップＳ８８→Ｎｏ）、お釣り有りを橙色で表示し（ステップＳ９０）、ステップＳ９１に進む。
【００８６】
ステップＳ９１において、ＣＰＵ１１は、お釣りの枚数をアイコンの数で表示する。ＣＰＵ１１は、この金種の枚数からお釣りの残額を更新する（ステップＳ９２）。
【００８７】
ステップＳ９３において、ＣＰＵ１１は、１円まで処理を繰り返していないならば、ステップＳ８０の処理に戻る。ＣＰＵ１１は、１円まで処理を繰り返したならば、この商品の登録処理を終了する。
【００８８】
《第２の実施形態》
第２の実施形態は、タブレット端末を金銭登録機として機能させ、かつドロア２と組合せたものであり、後記する図１４と図１５で説明する。この第２の実施形態において、ドロア内の紙幣と硬貨の位置の表示は設定で変更ができる。この設定変更については、後記する図１６から図１９で詳細に説明する。
【００８９】
図１４は、第２の実施形態におけるタブレット端末８とドロア２ｂのブロック図である。
タブレット端末８は、ＣＰＵ８１、ＲＡＭ８２、ＲＯＭ８３、記憶部８９、加速度センサ８６、タッチパネルディスプレイ８４、無線通信部８７、カメラ８５を含んで構成されており、各部はバスによって接続されている。そしてタブレット端末８は、ドロア２ｂと通信可能に接続されており、ドロア２ｂのロックを外させて、このドロア２ｂの金銭格納部分を引き出させることができる。このタブレット端末８は、第１の実施形態のドロア２ａとも接続可能である。なお、第１の実施形態のドロア２ａと、このドロア２ｂとを区別しないときには、単にドロア２と記載する。
【００９０】
ＣＰＵ８１は、記憶部８９などに記憶されているキャッシュレジスタプログラム８９２と、タッチパネルディスプレイ８４から入力される各種指示とをＲＡＭ８２内のワークメモリに展開する。ＣＰＵ８１は更に、この入力指示および入力データに応じてワークメモリに展開したキャッシュレジスタプログラム８９２に従って各種処理を実行し、その処理結果をＲＡＭ８２内のワークメモリに格納すると共に、タッチパネルディスプレイ８４に表示する。そしてＣＰＵ８１は、ワークメモリに格納した処理結果をタッチパネルディスプレイ８４から指示されるＲＡＭ８２内の保存先に保存する。
【００９１】
タッチパネルディスプレイ８４は、入力ペンや指先等により指示された座標を感知し、電磁誘電方式、磁気歪式、感圧式等の座標読み取り原理で指示された位置座標を検出して、位置信号をＣＰＵ８１に出力する。
【００９２】
カメラ８５は、光学レンズ群と撮像素子により構成され、光学レンズによる光学像を撮像する。ＣＰＵ８１は、カメラ８５から出力される画像データにより各種処理を行う。
【００９３】
加速度センサ８６は、このタブレット端末８に加えられた加速度を検知し、よってこのタブレット端末８の移動量を検知する。
【００９４】
記憶部８９は磁気的、半導体メモリなどの書換え可能な記憶媒体で構成されている。この記憶部８９は、システムプログラムおよび、キャッシュレジスタプログラム８９２、商品やサービスの販売価格情報を格納したＰＬＵ８９１などを記憶する。
【００９５】
無線通信部８７は、例えばWi-Fi（登録商標）等に対応した通信手段である。また、記憶部８９に記憶するプログラム、データ等は、その一部または全部をサーバやクライアント等の他の機器からネットワーク回線等の伝送媒体を介して受信して記憶する構成にしてもよい。更に記憶部８９は、ネットワーク上に構築されたサーバの記録媒体であってもよい。更に、各プログラムは、ネットワーク回線等の伝送媒体を介してサーバやクライアントへ伝送してこれらの機器にインストールするように構成してもよい。
【００９６】
ドロア２ｂは、印刷部２１１を含んで構成される。このドロア２ｂは、ドロア２ａとはコインと紙幣の配置方法が異なる。よって、タブレット端末８は、ドロア内イメージ４の表示方法を変更できるように構成されている。
【００９７】
図１５は、登録処理後の画面を示す図である。
操作者が商品の登録を実行したのち、小計ボタン（不図示）をタップすると、この図３に示す会計画面３ｄに遷移する。
会計画面３ｄは、左上に支払領域３１が配置され、右上に合計欄３２、現金欄３３、お釣り欄３４、レシートボタン３５、領収書ボタン３６、「続ける」ボタン３７、「閉じる」ボタン３８が配置される。これらの下には、ドロア内イメージ４ｃが表示されている。
支払領域３１と、合計欄３２、現金欄３３、お釣り欄３４、レシートボタン３５、領収書ボタン３６、「続ける」ボタン３７、「閉じる」ボタン３８は、図３に示した
支払領域３１と、合計欄３２、現金欄３３、お釣り欄３４、レシートボタン３５、領収書ボタン３６、「続ける」ボタン３７、「閉じる」ボタン３８は、図３に示した各要素と同一である。
【００９８】
ドロア内イメージ４ｃには、１円玉領域４１、５円玉領域４２、１０円玉領域４３、５０円玉領域４４、１００円玉領域４５、５００円玉領域４６、１千円札領域４７、５千円札領域４９、１万円札領域４０を含んでいる。これら各領域の位置は、ドロア２ｂ内の１円玉区画２１、５円玉区画２２、１０円玉区画２３、５０円玉区画２４、１００円玉区画２５、５００円玉区画２６、１千円札区画２７、５千円札区画２９、１万円札区画２０が配置されている位置に対応している。なお、ドロア２ｂは、１段目と２段目が硬貨収納用の区画であり、３段目以降が紙幣収納用の区画である。
【００９９】
１円玉領域４１は、ドロア内イメージ４ｃの下段の右から１番目である。そして１円玉区画２１は、ドロア２ｂ内の１段目の右から１番目にレイアウトされている。
５円玉領域４２は、ドロア内イメージ４ｃの下段の中央である。そして５円玉区画２２は、ドロア２ｂ内の１段目の中央にレイアウトされている。
１０円玉領域４３は、ドロア内イメージ４ｃの下段の左から１番目である。そして１０円玉区画２３は、ドロア２ｂ内の１段目の左から１番目にレイアウトされている。
【０１００】
５０円玉領域４４は、ドロア内イメージ４ｃの２段目の右から１番目である。そして５０円玉区画２４は、ドロア２ｂ内の２段目の右から１番目にレイアウトされている。
１００円玉領域４５は、ドロア内イメージ４ｃの２段目の中央である。そして１００円玉区画２５は、ドロア２内の２段目の中央にレイアウトされている。
５００円玉領域４６は、ドロア内イメージ４ｃの２段目の右から１番目である。そして５００円玉区画２６は、ドロア２ｂ内の２段目の右から１番目にレイアウトされている。
【０１０１】
１千円札領域４７は、ドロア内イメージ４ｃの３段目に横長に配置されている。そして１千円札区画２７は、ドロア２ｂ内の３段目にレイアウトされている。
５千円札領域４９は、ドロア内イメージ４ｃの４段目に横長に配置されている。そして５千円札区画２９は、ドロア２ｂ内の４段目にレイアウトされている。
１万円札領域４０は、ドロア内イメージ４ｃの５段目に横長に配置されている。そして１万円札区画２０は、ドロア２ｂ内の５段目にレイアウトされている。
【０１０２】
つまりドロア内イメージ４ｃには、１円玉区画２１、５円玉区画２２、１０円玉区画２３、５０円玉区画２４、１００円玉区画２５、５００円玉区画２６、１千円札区画２７、５千円札区画２９、１万円札区画２０のレイアウト情報が表示されている。
１円玉領域４１、５円玉領域４２、１０円玉領域４３、５０円玉領域４４、１００円玉領域４５、５００円玉領域４６には、各硬貨の名称と、お釣りとして最も合理的な枚数が表示されている。
【０１０３】
１千円札領域４７、２千円札領域４８、５千円札領域４９、１万円札領域４０には、各紙幣の名称が表示されている。更に１千円札領域４７、２千円札領域４８、５千円札領域４９には、お釣りとして最も合理的な枚数が表示されている。
【０１０４】
図１５において、お釣り金額は８，１０８円である。更に２千円札は、お釣りとしては使用しないように予め設定されている。このとき、お釣りとして最も合理的な枚数は、５千円札が１枚、１千円札が３枚、１００円玉が１枚、５円玉が１枚、１円玉が３枚である。
【０１０５】
つまり、５千円札領域４９には、「５千円札・１枚」が表示されている。１千円札領域４７には、「１千円札・３枚」が表示されている。１００円玉領域４５には、「１００円玉・１枚」が表示されている。５円玉領域４２には、「５円玉・１枚」が表示されている。１円玉領域４１には、「１円玉・３枚」が表示されている。つまり、電子キャッシュレジスタ１のＣＰＵ１１は、お釣り額から紙幣および硬貨の最も合理的な枚数を算出して、タッチパネルディスプレイ１４上に表示している。なお、お釣りとして最も合理的とは、枚数の総計が最小になることをいう。
【０１０６】
ドロア内イメージ４ｃは更に、今回のお釣りとして必要な金種である５千円札領域４９、１千円札領域４７、１００円玉領域４５、５円玉領域４２、１円玉領域４１を、それぞれは橙色で表示し、お釣りとして必要な金種であることを示している。また、それ以外の１万円札領域４０、２千円札領域４８、５００円玉領域４６、５０円玉領域４４、１０円玉領域４３を、それぞれ青色で表示し、お釣りとして不要な金種であることを示している。
【０１０７】
この図１５では、これらお釣りとして必要な金種の領域をハッチングで示している。つまり、電子キャッシュレジスタ１のＣＰＵ１１は、お釣りの必要がない金種と必要がある金種の表記を分けて表示している。
使用しない紙幣や硬貨が予め設定されているので、ＣＰＵ１１は、それ以外の金種の貨幣でお釣りを表現する。ここでは、２千円札を使用しない設定としている。
【０１０８】
図１６は、ドロアタイプの選択画面を示す図である。
ドロア２には、図３に示したＡタイプのドロア２ａと、図１５に示したＢタイプのドロア２ｂがある。Ａタイプのドロア２ａは更に、１段の硬貨収納領域を６列、５列、４列に区切るバリエーションがある。
このドロアタイプ選択画面９１は、これらドロア２ａ，２ｂとその区切りのバリエーションを選択する画面である。
【０１０９】
Ａタイプ６列ボタン９１１は、図３に示したＡタイプのドロア２ａを選択し、硬貨収納領域を６列に区切るバリエーションを選択するものである。
Ｂタイプボタン９１２は、図５に示したＢタイプのドロア２ｂを選択するものである。
【０１１０】
Ａタイプ５列ボタン９１３は、図３に示したＡタイプのドロア２ａを選択し、硬貨収納領域を５列に区切るバリエーションを選択するものである。
Ａタイプ４列ボタン９１４は、図３に示したＡタイプのドロア２ａを選択し、硬貨収納領域を４列に区切るバリエーションを選択するものである。
【０１１１】
図１７は、選択したドロア内イメージ４の設定画面を示す図である。
金種設定画面９２には、「金種を選択」と表示され、その下側にドロア内イメージ４が表示されている。
【０１１２】
下から２段目の紙幣領域４０ｃ，４９ｃ，４８ｃ，４７ｃは、紙幣を格納する区画に対応する領域である。ユーザが紙幣領域４０ｃ，４９ｃ，４８ｃ，４７ｃをタップすると、タブレット端末８は、図１８に示す紙幣設定画面９３に遷移する。これにより、ユーザは紙幣領域に対応する区画にどの金種が格納されるかを設定できる。
【０１１３】
下から１段目の硬貨領域４１ｃ，４２ｃ，４３ｃ，４４ｃ，４５ｃ，４６ｃは、硬貨を格納する区画に対応する領域である。ユーザが硬貨領域４１ｃ，４２ｃ，４３ｃ，４４ｃ，４５ｃ，４６ｃをタップすると、タブレット端末８は、図１９に示す硬貨設定画面９４に遷移する。これにより、ユーザは硬貨領域に対応する区画にどの金種が格納されるかを設定できる。
【０１１４】
キャンセルボタン９２１は、ドロア内イメージ４の設定をキャンセルするものである。決定ボタン９２２は、ドロア内イメージ４を決定するものである。
【０１１５】
図１８は、紙幣設定画面９３を示す図である。
紙幣設定画面９３は、１万円札ボタン９３１、５千円札ボタン９３２、２千円札ボタン９３３、１千円札ボタン９３４、「お釣りとして使用」スイッチ９３５を含んで表示されている。この紙幣設定画面９３は、図１７に示した金種設定画面９２において、紙幣領域４０ｃ，４９ｃ，４８ｃ，４７ｃのうち何れかをタップすることで遷移する。
【０１１６】
１万円札ボタン９３１は、タップされた紙幣領域の金種として１万円を設定するためのものである。
５千円札ボタン９３２は、タップされた紙幣領域の金種として５千円を設定するためのものである。
【０１１７】
２千円札ボタン９３３は、タップされた紙幣領域の金種として２千円を設定するためのものである。
１千円札ボタン９３４は、タップされた紙幣領域の金種として１千円を設定するためのものである。
【０１１８】
「お釣りとして使用」スイッチ９３５は、この金種をお釣りとして使用するか否かを設定するボタンである。ここではスイッチが右側に設定されており、オンであることを示している。
【０１１９】
図１９は、硬貨設定画面９４を示す図である。
硬貨設定画面９４は、１円玉ボタン９４１、５円玉ボタン９４２、１０円玉ボタン９４３、５０円玉ボタン９４４、１００円玉ボタン９４５、５００円玉ボタン９４６、「お釣りとして使用」スイッチ９４７を含んで表示されている。この紙幣設定画面９３は、図１７に示した金種設定画面９２において、硬貨領域４１ｃ，４２ｃ，４３ｃ，４４ｃ，４５ｃ，４６ｃのうち何れかをタップすることで遷移する。
【０１２０】
１円玉ボタン９４１は、タップされた硬貨領域の金種として１円を設定するためのものである。
５円玉ボタン９４２は、タップされた硬貨領域の金種として５円を設定するためのものである。
【０１２１】
１０円玉ボタン９４３は、タップされた硬貨領域の金種として１０円を設定するためのものである。
５０円玉ボタン９４４は、タップされた硬貨領域の金種として５０円を設定するためのものである。
【０１２２】
１００円玉ボタン９４５は、タップされた硬貨領域の金種として１００円を設定するためのものである。
５００円玉ボタン９４６は、タップされた硬貨領域の金種として５００円を設定するためのものである。
【０１２３】
「お釣りとして使用」スイッチ９４７は、この金種をお釣りとして使用するか否かを設定するボタンである。ここではスイッチが右側に設定されており、オンであることを示している。
【０１２４】
このように、ドロア内イメージの配置と、各区画に対する金種は、ユーザによって任意に設定可能である。これにより、各ユーザは従前のドロアの各区画の運用を変えること無く、この区画のレイアウトに対応した金種領域をドロア内イメージに表示させることができる。
【０１２５】
図２０は、接続されたドロア２に応じてドロア内イメージ４を切替える処理のフローチャートである。
タブレット端末８のＣＰＵ８１は、ドロア内イメージ４の表示が必要になると、ステップＳ９０以降の処理を開始する。
【０１２６】
先ずＣＰＵ８１は、ドロア２と接続可能であるか否かを判定する（ステップＳ９０）。ＣＰＵ８１は、ドロア２と接続できないならば（ステップＳ９０→Ｎｏ）、それ以降はドロア内イメージ４の表示を省略し（ステップＳ９１）、この切替え処理を終了する。
ＣＰＵ８１は、ドロア２と接続可能ならば（ステップＳ９０→Ｙｅｓ）、このドロア２と通信を確立して（ステップＳ９２）、ドロアタイプを取得する。
【０１２７】
そしてＣＰＵ８１は、ドロアタイプがＢタイプであるか否かを判定する（ステップＳ９４）。ＣＰＵ８１は、ドロアタイプがＢタイプでないならば（ステップＳ９４→Ｎｏ）、Ａタイプのドロア内イメージ４ａを表示して、この切替え処理を終了する。このように、Ａタイプのドロア内イメージ４ａを表示した例を、図２３に示す。
【０１２８】
ＣＰＵ８１は、ドロアタイプがＢタイプならば（ステップＳ９４→Ｙｅｓ）、ドロア２ｂの相対位置を取得する（ステップＳ９６）。加速度センサ８６によって検知された加速度を積分することによってドロア２ｂとの相対速度が求められ、この相対速度を更に積分することによってドロア２ｂとの相対位置が求められる。なお、加速度センサ８６に限られず、カメラ８５から出力される画像データにより、ドロア２ｂとの相対位置を求めてもよい。
【０１２９】
ステップＳ９７において、ＣＰＵ８１は、ドロア２とタブレット端末８との相対位置を判定する。ＣＰＵ８１は、ドロア２との相対位置が右寄りならば、画面左寄りにＢタイプのドロア内イメージ４ｃを表示し（ステップＳ９８）、この切替え処理を終了する。このように、画面左寄りにＢタイプのドロア内イメージ４ｃを表示した例を、図２１に示す。
【０１３０】
ＣＰＵ８１は、ドロア２との相対位置が中央ならば、画面中央にＢタイプのドロア内イメージ４ｃを表示し（ステップＳ９９）、この切替え処理を終了する。
ＣＰＵ８１は、ドロア２との相対位置が左寄りならば、画面右寄りにＢタイプのドロア内イメージ４ｃを表示し（ステップＳ１００）、この切替え処理を終了する。このように、画面右寄りにＢタイプのドロア内イメージ４ｃを表示した例を、図２２に示す。
【０１３１】
図２１は、タブレット端末８が相対的に右に寄った際、ドロア内イメージ４ｃを画面左寄りに表示することを示す図である。
ドロア２ｂの上にはタブレット端末８が設置されている。このタブレット端末８は、操作者から見て相対的に右に寄っている。タブレット端末８のタッチパネルディスプレイ８４には、会計画面３ｄが表示されている。
この会計画面３ｄの下部には、ドロア内イメージ４ｃが画面の左寄りに表示されている。
【０１３２】
図２２は、タブレット端末８が相対的に左に寄った際、ドロア内イメージ４ｂを画面右寄りに表示することを示す図である。
ドロア２ｂの上にはタブレット端末８が設置されている。このタブレット端末８は、操作者から見て相対的に左に寄っている。タブレット端末８のタッチパネルディスプレイ８４には、会計画面３ｄが表示されている。
この会計画面３ｄの下部には、ドロア内イメージ４ｃが画面の右寄りに表示されている。
【０１３３】
このように、ドロア内イメージ４ｃの表示位置を、ドロア２とタブレット端末８との相対位置に基づいて変更しているので、ユーザはドロア２内の各区画と、ドロア内イメージ４ｃの各領域と容易に対応付けることができる。
【０１３４】
図２３は、Ａタイプのドロア２ａに接続したときのドロア内イメージ４ａを示す図である。
ドロア２ａの上にはタブレット端末８が設置されている。このタブレット端末８は、操作者から見て相対的に左に寄っている。タブレット端末８のタッチパネルディスプレイ８４には、会計画面３ａが表示されている。
この会計画面３ａの下部には、ドロア内イメージ４ａが表示されている。
【０１３５】
このように、接続されるドロアタイプに応じてドロア内イメージ４を切替えているので、ユーザはドロア２内の各区画と、ドロア内イメージ４ｃの各領域と容易に対応付けることができる。
【０１３６】
（変形例）
本発明は、上記実施形態に限定されることなく、本発明の趣旨を逸脱しない範囲で、変更実施が可能であり、例えば、次の（ａ）〜（ｃ）のようなものがある。
（ａ）  電子キャッシュレジスタやタブレット端末が接続されるドロアの区画は、ＡタイプとＢタイプに限定されず、他の区画レイアウトであってもよい。
（ｂ）  お釣りが発生する場合に、ドロア内イメージ４ａが表示される。そのため、フローチャートには示していないが、クレジットカードやプリペイドカードや、お釣りが出ない商品券などを受領した場合、ドロア内イメージ４ａは表示されない。
（ｃ）  何れかの金種でお釣りが不足する場合、その金種の残数をお釣りとして用いると共に、お釣りの残額をより少額の金種で代替してもよい。
【０１３７】
以下に、この出願の願書に最初に添付した特許請求の範囲に記載した発明を付記する。付記に記載した請求項の項番は、この出願の願書に最初に添付した特許請求の範囲の通りである。
〔付記〕
《請求項１》
金銭の収納領域が複数の区画に仕切られているドロアに接続された金銭登録機であって、
前記ドロアの所定の開放タイミングに対応させて、前記複数の区画のレイアウト情報をドロア内イメージとして表示させるとともに前記複数の区画のそれぞれに収納されている金銭の種別情報を表示させる表示制御部と、
を備えることを特徴とする金銭登録機。
《請求項２》
前記表示制御部は、当該開放タイミングに対応させて取り出されるべき金銭の枚数を前記ドロア内イメージにおける当該金銭の種別に割り当てられている区画に対応付けて表示させる、
ことを特徴とする請求項１に記載の金銭登録機。
《請求項３》
前記表示制御部は、当該開放タイミングに対応させて収納されるべき金銭の枚数を前記ドロア内イメージにおける当該金銭の種別に割り当てられている区画に対応付けて表示させる、
ことを特徴とする請求項１に記載の金銭登録機。
《請求項４》
前記表示制御部は、取り出されるべき金銭の収納枚数が不足しているか否かによって、前記ドロア内イメージにおける当該金銭の種別に割り当てられている区画の表示態様を切替える、
ことを特徴とする請求項２または３に記載の金銭登録機。
《請求項５》
前記表示制御部は、取り出されるべき金銭の収納枚数が閾値以下であるか否かによって、前記ドロア内イメージにおける当該金銭の種別に割り当てられている区画の表示態様を切替える、
ことを特徴とする請求項２または３に記載の金銭登録機。
《請求項６》
会計金額の通知タイミングに対応させて前記ドロアを開放させるドロア制御部を備え、
前記表示制御部は、前記会計金額がお釣りの発生し得ない金額である場合には、前記ドロア内イメージの表示を省略する、
ことを特徴とする請求項１から５のうち何れか１項に記載の金銭登録機。
《請求項７》
前記表示制御部は、前記複数の区画のそれぞれに収納されている金銭の枚数を前記ドロア内イメージとして表示させる、
ことを特徴とする請求項１から５のうち何れか１項に記載の金銭登録機。
《請求項８》
金銭の収納領域が複数の区画に仕切られているドロアと、
前記複数の区画のレイアウト情報と前記複数の区画のそれぞれに収納されている金銭の枚数とをドロア内イメージとして表示させる表示制御部と、
を備えることを特徴とする金銭登録機。
《請求項９》
前記表示制御部は、区画に収納されている金銭の有無によって前記ドロア内イメージにおける前記区画の表示態様を切替える、
ことを特徴とする請求項７または８に記載の金銭登録機。
《請求項１０》
前記表示制御部は、金銭の枚数に対応する数の金銭種別イメージを表示する、
ことを特徴とする請求項１から９のうち何れか１項に記載の金銭登録機。
《請求項１１》
前記表示制御部は、前記ドロアと通信可能に接続されていないことを検知したならば、前記ドロア内イメージの表示を省略する、
ことを特徴とする請求項１から１０のうちの何れか１項に記載の金銭登録機。
《請求項１２》
前記表示制御部は、前記ドロアと通信接続した際に、当該ドロアに対応したドロア内イメージを表示させる、
ことを特徴とする請求項１から１０のうち何れか１項に記載の金銭登録機。
《請求項１３》
売上登録を受け付ける手順と、
売上登録後の会計金額の通知タイミングに対応させて、金銭の収納領域が複数の区画に仕切られているドロアにおける前記複数の区画のレイアウト情報をドロア内イメージとして表示させるとともに前記複数の区画のそれぞれに収納されている金銭の種別情報を表示させる手順と、
をコンピュータに実行させるためのプログラム。
【符号の説明】
【０１３８】
１  電子キャッシュレジスタ  （金銭登録機）
１１  ＣＰＵ  （表示制御部）
１２  ＲＡＭ
１３  ＲＯＭ
１４  タッチパネルディスプレイ
１５  顧客用ディスプレイ
１６  印刷部
１７  通信部
１９  記憶部
１９１  ＰＬＵ
１９２  キャッシュレジスタプログラム
２ａ，２ｂ  ドロア
２０  １万円札区画
２１  １円玉区画
２２  ５円玉区画
２３  １０円玉区画
２４  ５０円玉区画
２５  １００円玉区画
２６  ５００円玉区画
２７  １千円札区画
２８  ２千円札区画
２９  ５千円札区画
２１１  印刷部
３ａ〜３ｄ  会計画面
４ａ，４ｂ  ドロア内イメージ
４０，４０ｂ  １万円札領域
４１，４１ｂ  １円玉領域
４２，４２ｂ  ５円玉領域
４３，４３ｂ  １０円玉領域
４４，４４ｂ  ５０円玉領域
４５，４５ｂ  １００円玉領域
４６，４６ｂ  ５００円玉領域
４７，４７ｂ  １千円札領域
４８，４８ｂ  ２千円札領域
４９，４９ｂ  ５千円札領域
５  会計画面
６  入金画面
７  残高画面
８  タブレット端末  （金銭登録機）
８１  ＣＰＵ  （表示制御部）
８４  タッチパネルディスプレイ
８５  無線通信部
８６  加速度センサ
８７  カメラ
８９  ＧＰＳ
８９２  キャッシュレジスタプログラム
９１  ドロアタイプ選択画面
９２  金種設定画面
９３  紙幣設定画面
９４  硬貨設定画面
【図１】
2019128777.tif 000003
【図２】
2019128777.tif 000004
【図３】
2019128777.tif 000005
【図４】
2019128777.tif 000006
【図５】
2019128777.tif 000007
【図６】
2019128777.tif 000008
【図７】
2019128777.tif 000009
【図８】
2019128777.tif 000010
【図９】
2019128777.tif 000011
【図１０】
2019128777.tif 000012
【図１１】
2019128777.tif 000013
【図１２】
2019128777.tif 000014
【図１３】
2019128777.tif 000015
【図１４】
2019128777.tif 000016
【図１５】
2019128777.tif 000017
【図１６】
2019128777.tif 000018
【図１７】
2019128777.tif 000019
【図１８】
2019128777.tif 000020
【図１９】
2019128777.tif 000021
【図２０】
2019128777.tif 000022
【図２１】
2019128777.tif 000023
【図２２】
2019128777.tif 000024
【図２３】
2019128777.tif 000025